(57)【要約】【課題】乾電池に絶縁部材を設ける必要なく、電池蓋の構造により乾電池装填の逆通電を防止する。さらに、電池逆入れを感知し、逆入れが生じた場合には乾電池が通電しないようにする。【解決手段】複数の乾電池Ｂを装填する電池装填部２と、その電池装填部２を覆う電池蓋３と、を備える電池装填構造において、電池蓋３の内側に、複数の乾電池Ｂの端子面間に差し込まれる差込片３１と、その差込片３１と一体に設けられたスイッチ操作部３２と、を備え、そのスイッチ操作部３２により接続動作される電源スイッチ２５を備える。【選択図】図３
2011060526.tif 000002
【特許請求の範囲】
【請求項１】
複数の乾電池を装填する電池装填部と、
前記電池装填部を覆う電池蓋と、を備える電池装填構造において、
前記電池蓋の内側に、複数の乾電池の端子面間に差し込まれる差込片と、
前記差込片と一体に設けられたスイッチ操作部と、
を備え、
前記スイッチ操作部により接続動作される電源スイッチを備えることを特徴とする電池装填構造。
【請求項２】
前記電池装填部の＋極端子接続端部に、乾電池の＋極端子を案内する切欠部が形成された隔壁部を備えることを特徴とする請求項１に記載の電池装填構造。
【請求項３】
請求項１又は２に記載の電池装填構造を備えることを特徴とする電子機器。
【発明の詳細な説明】
【技術分野】
【０００１】
本発明は、乾電池装填の逆通電を防止する電池蓋を含む電池装填構造と、その電池装填構造を備える電子機器に関する。
【背景技術】
【０００２】
乾電池装填の逆通電防止対策として、乾電池の−極端子面を、＋極端子に対応する開口が中央に設けられた絶縁シートで覆う方法が特許文献１に開示されている。また、乾電池の−極端子面に、＋極端子を囲む絶縁体を設ける方法が特許文献２に開示されている。
【先行技術文献】
【特許文献】
【０００３】
【特許文献１】特開２０００−０３０７１６号公報
【特許文献２】特開平０７−２０１３１４号公報
【発明の概要】
【発明が解決しようとする課題】
【０００４】
しかし、特許文献１の逆通電防止対策では、ユーザーにより乾電池の−極端子面に絶縁シートを貼り付けてもらわないと効果が発揮できなく、ユーザーに一手間掛けさせてしまうという問題もある。
また、特許文献２の逆通電防止対策は、乾電池の−極端子面に、＋極端子を囲む絶縁体を設けて乾電池自体の構造を変化させるものであり、電池の規格を満足させられなくなること、また既存の電池サイズに対応した機器で使用できなくなる可能性があることなどの問題がある。
【０００５】
本発明の課題は、乾電池に絶縁部材を設ける必要なく、電池蓋の構造により乾電池装填の逆通電を防止することである。
さらに、本発明の課題は、電池逆入れを感知し、逆入れが生じた場合には乾電池が通電しないようにすることである。
【課題を解決するための手段】
【０００６】
以上の課題を解決するため、請求項１に記載の発明は、複数の乾電池を装填する電池装填部と、前記電池装填部を覆う電池蓋と、を備える電池装填構造において、前記電池蓋の内側に、複数の乾電池の端子面間に差し込まれる差込片と、前記差込片と一体に設けられたスイッチ操作部と、を備え、前記スイッチ操作部により接続動作される電源スイッチを備えることを特徴とする。
【０００７】
請求項２に記載の発明は、請求項１に記載の電池装填構造であって、前記電池装填部の＋極端子接続端部に、乾電池の＋極端子を案内する切欠部が形成された隔壁部を備えることを特徴とする。
【０００８】
請求項３に記載の発明は、請求項１又は２に記載の電池装填構造を備える電子機器を特徴とする。
【発明の効果】
【０００９】
本発明によれば、乾電池に絶縁部材を設ける必要なく、電池蓋の構造により乾電池装填の逆通電を防止できる。
さらに、電池逆入れを感知し、逆入れが生じた場合には乾電池が通電しないようにすることも可能になる。
【図面の簡単な説明】
【００１０】
【図１】本発明を適用した電子機器の一実施形態の構成を示すもので、電子辞書を下面側から電池蓋を分解して示した斜視図である。
【図２】図１の電池装填部の＋極端子接続端部の構成を示した拡大図である。
【図３】図１の電池装填部に電池蓋を装着した状態で要部を破断して示した図である。
【図４】図３の電池装填部の＋極端子接続端部側を示した拡大縦断面図である。
【図５】図３の電池装填部の中央部分を示した拡大図である。
【図６】図５の差込片部分に沿って断面で示した図である。
【図７】図５の差込片部分の平面図である。
【図８】図７の差込片部分の縦断面図である。
【発明を実施するための形態】
【００１１】
以下、図を参照して本発明を実施するための形態を詳細に説明する。
図１は本発明を適用した電子機器の一実施形態の構成として電子辞書を下面側から電池蓋を分解して示したもので、１は筐体、２は電池装填部、３は電池蓋、Ｂは乾電池である。
【００１２】
図示のように、電子辞書の筐体１は、下面に開口して二本の乾電池Ｂを直列に装填する電池装填部２が設けられている。この電池装填部２の開口は、電池蓋３を装着することで覆われる。電池装填部２には、一端部に−極端子接続バネ２１が設けられて、中央部に電源スイッチ２５が設けられている。この電源スイッチ２５は、押圧操作される押しボタン２６を有しており、この押しボタン２６が押圧操作されることで接続動作する。
【００１３】
図２は電池装填部２の他端部の＋極端子接続バネ２２の構成を示したもので、この＋極端子接続バネ２２の手前には、隔壁部２３が形成されている。この隔壁部２３には、図示のように、電池装填部２の開口側から乾電池Ｂの＋極端子を案内するＵ字型の切欠部２４が形成されている。
【００１４】
図３は電池装填部２に電池蓋３を装着した状態で要部を破断して示したもので、電池蓋３は、電池装填部２の開口に対し係止爪及び係止溝により着脱自在となっている。この電池蓋３の内側面の中央には、図示のように、電池装填部２に正規に装填した二本の乾電池Ｂの端子面間に差し込まれる差込片３１が一体に形成されている。そして、この差込片３１には、電源スイッチ２５の押しボタン２６を押圧操作するスイッチ押圧部３２が一体に形成されている。
【００１５】
図４は電池装填部２の＋極端子接続端部側を断面で示したもので、図示のように、乾電池Ｂの＋極端子は、隔壁部２３のＵ字型の切欠部２４に位置して＋極端子接続バネ２２に接続状態となる。
【００１６】
図５は電池装填部２の中央部分を拡大して示したもので、図６から図８はその差込片３１部分を示したものである。図示のように、二本の乾電池Ｂが正しく順方向で装填された場合は、その二本の乾電池Ｂの端子面間に差込片３１が差し込まれて、電池装填部２の開口に電池蓋３が装着されると同時に、差込片３１の一体のスイッチ押圧部３２が電源スイッチ２５の押しボタン２６を押圧操作する。これにより、電源スイッチ２５が接続動作して、電子辞書の電源ラインが導通状態になる。
なお、差込片３１の厚みは、乾電池Ｂの＋極端子の凸部の長さよりも短い。これにより、順方向で装填された二本の乾電池Ｂの端子面間に差込片３１を容易に装着することができ、かつ、装着することによって電源ラインの導通が妨げられることもない。
【００１７】
なお、両方の乾電池Ｂの−極端子が内側に向かい合った状態で挿入された場合は、差込片３１を差し込むための隙間がないので電池蓋３が装着できず、仮に強引に装着したとしても差込片３１の厚みによって乾電池Ｂの端子面間に間隙が生じ、電源ラインが導通されず、すなわち、電子辞書の電源が入らない。
【００１８】
また、両方の乾電池Ｂが逆に挿入された場合や、両方の乾電池Ｂの＋極端子が内側に向かい合った状態で挿入された場合は、たとえ電池蓋３が装着されたとしても、電池装填部２の＋極端子接続バネ２２の手前にＵ字型の切欠部２４を有する隔壁部２３があるので、通電することはない。
【００１９】
以上、実施形態の電池装填構造を備える電子辞書によれば、電池蓋３の内側に、電池装填部２に正規に装填した二本の乾電池Ｂの端子面間に差し込まれる差込片３１を備えることで、乾電池Ｂに絶縁部材を設ける必要なく、電池蓋３の構造により乾電池装填の逆通電を防止できる。
【００２０】
さらに、電池装填部２には、差込片３１と一体のスイッチ押圧部３２により接続動作される電源スイッチ２５を備えるとともに、＋極端子接続端部に、乾電池Ｂの＋極端子を案内するＵ字型の切欠部２４が形成された隔壁部２３を備えることで、電池逆入れを感知し、逆入れが生じた場合には乾電池Ｂが通電しないようにすることができる。
【００２１】
（変形例）
なお、以上の実施形態においては、電子辞書としたが、本発明はこれに限定されるものではなく、カメラ、ＰＤＡ、ノートパソコン、ウェアラブルパソコン、電卓、携帯電話などの機器全てに用いることができる。
また、実施形態では二本の乾電池を直列に装填する電池装填部としたが、三本以上の乾電池を直列に装填する電池装填部でもよく、その場合は、電池蓋に二本以上の差込片を設ければよい。
さらに、差込片及びスイッチ操作部の形状や電源スイッチの種類等も任意であり、その他、具体的な細部構造等についても適宜に変更可能であることは勿論である。
【符号の説明】
【００２２】
１  筐体
２  電池装填部
２１  −極端子接続バネ
２２  ＋極端子接続バネ
２３  隔壁部
２４  切欠部
２５  電源スイッチ
２６  押しボタン
３  電池蓋
３１  差込片
３２  スイッチ操作部
Ｂ  乾電池
【図１】
2011060526.tif 000003
【図２】
2011060526.tif 000004
【図３】
2011060526.tif 000005
【図４】
2011060526.tif 000006
【図５】
2011060526.tif 000007
【図６】
2011060526.tif 000008
【図７】
2011060526.tif 000009
【図８】
2011060526.tif 000010